(57)【特許請求の範囲】
【請求項１】
所定幅を有する無端状のベルト（１２）と、
該無端状のベルトの両端をそれぞれ支持する一対のローラ（１１ａ，１１ｂ）と、
前記無端状のベルトの裏面（１２ｂ）に該裏面の摩擦係数より高い摩擦係数を有し、該ベルトの移動方向に沿って連続する所定幅の摩擦部（１４）と、
前記一対のローラ間に設けられ、前記ベルトを支持する受台（１０）とを備え、
前記受台の上面（１０ａ）には、前記摩擦部が配置された位置部分に該摩擦部との接触を避けるための開口部（２０）が形成され、前記摩擦部は前記一対のローラと所定の摩擦力で接触することを特徴とするコンベア。
【請求項２】
前記摩擦部（１４）は、前記ベルト（１２）の幅方向に複数設けられた請求項１記載のコンベア。
【請求項３】
前記摩擦部（１４）は、前記ベルト（１２）の中央位置に設けられた請求項１記載のコンベア。
【請求項４】
前記摩擦部（１４）は、前記ベルト（１２）の裏面（１２ｂ）に摩擦材料を所定厚さでコーティングしてなる請求項１記載のコンベア。
【請求項５】
前記摩擦部（１４）は、前記ベルト（１２）の裏面（１２ｂ）に摩擦材料のテープを溶着してなる請求項１記載のコンベア。
【請求項６】
前記受台（１０）の開口部（２０）は、前記摩擦部（１４）の配置位置に対応して該受台に略凹形状の凹溝（２１）を形成してなる請求項１乃至５のいずれか１項に記載のコンベア。
【発明の詳細な説明】
【０００１】
【発明の属する技術分野】
本発明は、物品を搬送するコンベアに関する。
【０００２】
【従来の技術】
図４は、従来の計量装置のコンベアを示す斜視図である。
計量装置５０は、コンベア５１の駆動により物品を搬送させながら計量部により物品の質量を計量することができる。コンベア５１は、受台５４と、受台５４両側部に設けられた駆動ローラ５５ａ，従動ローラ５５ｂと、これらローラ５５ａ，５５ｂ間の無端ベルト５６で構成される。
【０００３】
コンベア５１は、不図示の計量部（例えばロードセル）上に載置固定され、ロードセルは、コンベア５１全体と物品の質量を計量する。ロードセルの計量信号は、演算部（不図示）に出力され、演算部の演算処理にてコンベア５１の重量を差し引くことにより物品の質量を求める構成となっている。
【０００４】
上記のコンベア５１において、ベルト５６の搬送力を高めるために、受台５４とベルト５６との間の摩擦が小さく、一方、ローラ５５ａ，５５ｂとベルト５６との間の摩擦を高める構成が施されている。
例えば、受台５４とベルト５６との間の摩擦を小さくするために、受台５４の表面にエンボス加工を施したり、エンボス加工を施した平板や、高分子シートを貼り付ける。
また、ローラ５５ａ，５５ｂとベルト５６との間の摩擦を高めるために、ローラ５５ａ，５５ｂの表面に凹凸（ローレット）加工を施す。
【０００５】
【発明が解決しようとする課題】
しかしながら、エンボス加工を施した受台５４は、形成されたエンボスによって側板の折曲箇所などが正確に曲げることができず加工精度が低下したり、ねじ穴の加工精度の低下やねじ取付の取付に制約が生じる等の問題があった。
また、エンボス板や高分子シートを貼り付けた構成では、貼り付け箇所の端部が剥離する場合があった。これは、コンベアを清掃した際に生じ、洗浄で剥離しやすかった。また、高分子シート等では、樹脂の特性により高熱での洗浄が行えないこともあった。シートの端部が剥離すると、この剥離部分に雑菌が繁殖する原因となる。
【０００６】
一方、ローラ５５ａ，５５ｂに凹凸加工を施した場合には、凸部のみがベルト５６に接触するため、ベルト５６を磨耗させ耐久性を低下させる問題があった。また、この凹凸によりローラ５５ａ，５５ｂの清掃が行いにくかった。この凹凸部分でも上記同様に雑菌が繁殖しやすい。
特に、計量装置が食品を計量する場合においてコンベアは清潔を維持しなければならないが、上記構成ではこれが行えない。
【０００７】
本発明は、上記課題を解決するためになされたものであり、簡単な構成で物品の搬送力を増大でき、かつ、清掃が行いやすいコンベアを提供することを目的としている。
【０００８】
【課題を解決するための手段】
上記目的を達成するため、本発明のコンベアは、所定幅を有する無端状のベルト（１２）と、
該無端状のベルトの両端をそれぞれ支持する一対のローラ（１１ａ，１１ｂ）と、
前記無端状のベルトの裏面（１２ｂ）に該裏面の摩擦係数より高い摩擦係数を有し、該ベルトの移動方向に沿って連続する所定幅の摩擦部（１４）と、
前記一対のローラ間に設けられ、前記ベルトを支持する受台（１０）とを備え、
前記受台の上面（１０ａ）には、前記摩擦部が配置された位置部分に該摩擦部との接触を避けるための開口部（２０）が形成され、前記摩擦部は前記一対のローラと所定の摩擦力で接触することを特徴とする。
【０００９】
また、請求項２記載のように、前記摩擦部（１４）は、前記ベルト（１２）の幅方向に複数設けられた構成としてもよい。
【００１０】
また、請求項３記載のように、前記摩擦部（１４）は、前記ベルト（１２）の中央位置に設けられた構成としてもよい。
【００１１】
また、請求項４記載のように、前記摩擦部（１４）は、前記ベルト（１２）の裏面（１２ｂ）に摩擦材料を所定厚さでコーティングして形成してもよい。
【００１２】
また、請求項５記載のように、前記摩擦部（１４）は、前記ベルト（１２）の裏面（１２ｂ）に摩擦材料のテープを溶着して形成してもよい。
【００１４】
また、請求項６記載のように、前記受台（１０）の開口部（２０）は、前記摩擦部（１４）の配置位置に対応して該受台に略凹形状の凹溝（２１）を形成してもよい。
【００１６】
上記構成によれば、ローラ１１ａ，１１ｂと、ベルト１２の裏面１２ｂに設けられた摩擦部１４との間が所定の摩擦力で接触する。これにより、ローラ１１ａ，１１ｂが回転すると、このローラ１１ａ，１１ｂでベルト１２を高い搬送力で移動させることができる。
一方、受台１０の上面１０ａには、摩擦部１４との接触を回避すべく開口部２０が開口形成されており、ベルト１２の搬送力を低下させない。
摩擦部１４は、ベルト１２の裏面１２ｂに摩擦材料をコーティングして簡単に形成することができる。
【００１７】
【発明の実施の形態】
図１は本発明のコンベアを有する計量装置の第１実施形態を示す図である。同図（ａ）は平面図、同図（ｂ）は正面図である。これらの図には、計量装置の要部である上部位置のコンベア１が記載されている。
【００１８】
コンベア１は、所定の幅及び長さを有する受台１０と、受台１０の両端に設けられた駆動ローラ１１ａ，従動ローラ１１ｂと、これらローラ１１ａ，１１ｂ間に張設される無端状のベルト１２で大略構成される。
受台１０は、板体を折曲成形してなり、上板１０ａと、幅方向両端部の側板１０ｂで構成される。受台１０の内部には、必要に応じて桟等が縦横方向に設けられる。受台１０の上板１０ａ上には、ベルト１２の裏面１２ｂが接触し、ベルト１２の表面１２ａ上に載置されて移動する物品の荷重を支持する。
【００１９】
一対のローラ１１ａ，１１ｂは、円筒形状に形成され、回転軸１１ｃを中心として回転自在であり、ベルト１２を所定の張力で張架支持している。これらローラ１１ａ，１１ｂの周面１１ｄは凹凸がなく平らに形成されている。
そして、駆動ローラ１１ａの回転軸１１ｃが駆動部（不図示）によって回転駆動されると、ベルト１２を対応方向に搬送移動させ、従動ローラ１１ｂを回転させる。
【００２０】
ベルト１２は、ポリエステル製の帆布で構成され、裏面１２ｂには、全面に薄くウレタンコーティングが施されている。そして、この裏面１２ｂには、図示のように搬送方向に連続して所定幅の摩擦部１４が設けられる。この摩擦部１４は、所定の摩擦材料をコーティングして形成される。この実施形態では、摩擦部１４をウレタンコーティングで形成した。コーティングの厚みは、約１００μｍである。他に摩擦部１４の摩擦材料としてウレタン製シートを溶着してもよい。
【００２１】
この摩擦部１４は、ベルト１２の略中央位置に、搬送方向に連続して設けられている。摩擦部１４を略中央位置に設けることにより、ベルト１２に対する搬送力の伝達が安定する。
なお、ベルト１２の表面１２ａ全面には、所定の保持部１３が設けられている。この保持部１３は、表面１２ａ上にウレタンを所定厚さコーティングしてなる。これにより、表面１２ａ（保持部１３）上に載置される物品のずれを防止している。
【００２２】
そして、前記受台１０の上面１０ａには、摩擦部１４に対面する箇所がこの摩擦部１４との接触を回避する開口部２０が形成されている。
この実施形態における開口部２０は、受台１０の上面１０ａに、図示の如く所定幅及び深さを有し搬送方向に連続する凹溝２１を形成している。この凹溝２１は、摩擦部１４の幅よりも幅広で、摩擦部１４に接触しない程度の深さを有している。
この凹溝２１は、同図（ｂ）に示すように、受台１０の上面１０ａ部分を折曲加工して形成している。
【００２３】
なお、不図示であるが、この受台１０の下部には計量部が設けられ、計量部はコンベア１全体と物品の質量を計量する。計量部８は、例えばロードセルや、電子平衡秤からなる。
計量部の計量信号は、演算部（不図示）に出力され、ベルト１２上に載置された物品が受台１０上に位置したときの計量信号に基づき、演算部は演算処理にてコンベア１の重量を差し引くことにより物品の質量を求める。
【００２４】
上記構成の計量装置によれば、一対のローラ１１ａ，１１ｂで張架されるベルト１２の裏面１２ｂには、摩擦部１４が形成され、ローラ１１ａ，１１ｂの周面１１ｄに接触する。そして、ローラ１１ａ，１１ｂと摩擦部１４との間が高い摩擦力で接触する。これにより、駆動ローラ１１ａの回転力が損失することなく（例えばスリップなく）ベルト１２の搬送力に伝達、変換でき、ベルト１２で大きな搬送力を確保できる。
【００２５】
一方、受台１０の上面１０ａには、凹溝２１が形成されており、摩擦部１４に接触しないため、受台１０とベルト１２の間には摩擦がなく、搬送力を妨げない。
【００２６】
なお、摩擦部１４は、ウレタンコーティングで薄厚（１００μｍ）に形成されているため、ローラ１１ａ，１１ｂに接するベルト１２表面１２ａ部分にこの摩擦部１４形成箇所に凸部が突出することはない。
また、ベルト１２を取り外した後の清掃においても各部に凹凸がないため、洗浄等を容易かつ確実に行うことができる。
【００２７】
次に、本発明の第２実施形態を図２を用いて説明する。同図（ａ）は平面図、同図（ｂ）は正面図である。
図示のように、ベルト１２の裏面１２ｂには、幅方向に前記摩擦部１４を２列設けている。対応して受台１０には、摩擦部１４との接触を避けるための凹溝２１が２列設けられている。受台１０は、凹溝２１により摩擦部１４に接触せず、ベルト１２の搬送力を妨げない。
このように摩擦部１４を２列以上で複数列設ければ、ローラ１１ａ，１１ｂと摩擦部１４との間の接触をより確実にできるようになる。ここで、摩擦部１４の各列をベルト１２の幅方向で均等に配置することにより、ローラ１１ａ，１１ｂからベルト１２に対する搬送力の伝達が安定する。
【００２８】
次に、本発明の第３実施形態を説明する。
この実施形態では、受台１０に形成される開口部２０の構成を変更している。開口部２０は、受台１０が摩擦部１４に接触しないよう退避する空間として設けられる。したがって、この開口部２０の他の構成例としては、上記凹溝２１に限らない。
【００２９】
例えば、図３の平面図に示すように、受台１０の上面１０ａに摩擦部１４の幅よりやや幅広な開口穴２４を開口形成する構成としてもよい。
この開口穴２４は、図示のように受台２０の長さ方向全域に形成せずとも、所定長さで形成することもできる。この場合、摩擦部１４が一部、受台１０の上面１０ａ（箇所Ａ１，Ａ２）と接触するが、一部であれば、摩擦部１４と受台１０との間の摩擦が低く、ベルト１２の搬送力に支障が生じない。開口部２０が開口穴２４に変えて凹溝２１であった場合にも同様である。
【００３０】
また、開口部２０（凹溝２１，あるいは開口穴２４）を受台２０の上面１０ａの長さ全域に設ける構成としてもよく、この場合には、受台１０の剛性を保持するための桟等の補強部材を少なくとも幅方向に設けておく。例えば、この補強部材で側板１０ｂ，１０ｂ同士間を連結固定する。
また、この開口部２０は、図示のような単一箇所に限らず、摩擦部１４の長さ方向に沿って複数箇所に開口形成した構成とすることもできる。
【００３１】
また、上記実施形態では、摩擦部１４は、ベルト１２の裏面１２ｂに摩擦材料をコーティングして形成する構成とした。これに限らず、摩擦部１４は、摩擦材料のシート（例えば厚さ０．２ｍｍのもの）をベルト１２の裏面１２ｂに溶着する構成としてもよい。
【００３２】
また、上記各実施の形態では、コンベア１が物品を計量する計量装置に設けられた構成を説明した。しかし、本発明は、ベルト１２の搬送力を高めることを第１の目的としている。即ち、本発明のコンベア１は、一対のローラ１１ａ，１１ｂと、ベルト１２のみで構成された汎用のコンベア装置に適用することもできる。この場合においても、一対のローラ１１ａ，１１ｂに対し、ベルト１２の裏面１２ｂに設けられた摩擦部１４によって、高い搬送力を得ることができる。
【００３３】
【発明の効果】
本発明のコンベアによれば、ベルトの裏面にベルトの裏面の摩擦係数より高い摩擦係数を有しベルトの搬送方向に沿って連続する所定幅の摩擦部を設けた構成であるため、回転するローラとベルトとの間の摩擦力を高めて高い搬送力を得ることができるようになる。
この摩擦部は、例えば、ベルト裏面に所定厚さのウレタンコーティングを施すだけで簡単に形成できる。
一方、コンベアベルトの裏面を支持する受台には摩擦部との接触を避ける開口部が形成されているため、ベルトの搬送力を低下させずに物品を計量することができる。
さらに、摩擦部は、ベルト裏面に形成されているためローラや受台に特別な加工を施す必要がなく、清掃も容易に行える。
【図面の簡単な説明】
【図１】  本発明のコンベアを有する計量装置の実施形態の要部を示す図。
【図２】  本発明の第２実施形態を示す図。
【図３】  本発明の第３実施形態を示す平面図。
【図４】  従来のコンベアを有する計量装置を示す斜視図。
【符号の説明】
１…コンベア、１０…受台、１０ａ…上面、１１ａ…駆動ローラ、１１ｂ…従動ローラ、１２…ベルト、１２ｂ…裏面、１４…摩擦部、２０…開口部、２１…凹溝、２４…開口穴。
【図１】
0003676925.tif 000002
【図２】
0003676925.tif 000003
【図３】
0003676925.tif 000004
【図４】
0003676925.tif 000005